【手続補正書】
【提出日】平成20年11月7日(2008.11.7)
【手続補正１】
【補正対象書類名】明細書
【補正対象項目名】特許請求の範囲
【補正方法】変更
【補正の内容】
【特許請求の範囲】
【請求項１】 電子掲示板に情報を表示する方法であって、
前記方法は、第１の電子掲示板を第１の位置に設けるステップであって、前記第１の電子掲示板は、第１の情報ハンドリング・システムが前記第１の電子掲示板に表示されるべき情報を制御することができるように、前記第１の情報ハンドリング・システムに結合される、第１の電子掲示板を設けるステップを含み、
前記方法は、第２の電子掲示板を第２の位置に設けるステップであって、前記第２の電子掲示板は、第２の情報ハンドリング・システムが前記第２の電子掲示板に表示されるべき情報を制御することができるように、前記第２の情報ハンドリング・システムに結合される、第２の電子掲示板を設けるステップを含み、
前記第１および第２の情報ハンドリング・システムはインターネットを介して第３の情報ハンドリング・システムに結合され、
前記方法は、前記第３の情報ハンドリング・システムを介して、広告主から選択指示を受信するステップであって、前記選択指示は、前記第１または第２の電子掲示板のうちのどちらが前記情報を表示するべきかを示す、受信するステップを含み、
前記方法は、前記第３の情報ハンドリング・システムから、前記選択された電子掲示板を制御する情報ハンドリング・システムに、前記インターネットを介して前記情報をアップロードするステップを含み、
前記方法は、前記選択された電子掲示板に前記情報を表示するステップを含み、
前記選択された電子掲示板は、前記広告主によって、前記第１および第２の電子掲示板を含む利用可能な電子掲示板の位置を示す電子的に表示されるマップを使用して選択される、方法。
【請求項２】 前記マップは、前記第３の情報ハンドリング・システムを介して、前記広告主に表示される、請求項１に記載の方法。
【請求項３】 クライアントからズーム指示を受信すること、および
前記ズーム指示に応答して、前記マップのズーム・インビューを提供すること
をさらに含む、請求項１に記載の方法。
【請求項４】 電子掲示板に情報を表示するシステムであって、
第１の位置にある第１の電子掲示板であって、第１の情報ハンドリング・システムが前記第１の電子掲示板に表示されるべき情報を制御することができるように、前記第１の情報ハンドリング・システムに結合される、第１の電子掲示板と、
第２の位置にある第２の電子掲示板であって、第２の情報ハンドリング・システムが前記第２の電子掲示板に表示されるべき情報を制御することができるように、前記第２の情報ハンドリング・システムに結合される、第２の電子掲示板と、
インターネットを介して前記第１および第２の情報ハンドリング・システムに結合される第３の情報ハンドリング・システムであって、広告主が、利用可能な電子掲示板を示すマップから、前記第１および第２の情報ハンドリング・システムのうちのどちらが前記情報を表示するかを選択することを可能にするように構成される、第３の情報ハンドリング・システムと、
前記第３の情報ハンドリング・システムからの前記情報を、前記選択された電子掲示板を制御する情報ハンドリング・システムに、前記インターネットを介して送信する手段と
を含む、システム。
【請求項５】 前記第１の電子掲示板および前記第２の電子掲示板はそれぞれ屋外に配置される、請求項４に記載のシステム。
【請求項６】 前記第１の電子掲示板および前記第２の電子掲示板はそれぞれ屋内に配置される、請求項４に記載のシステム。
【請求項７】 前記第１の電子掲示板または前記第２の電子掲示板のうちの少なくとも一方が店内に配置される、請求項６に記載のシステム。
【請求項８】 前記第１の電子掲示板および前記第２の電子掲示板はそれぞれ、セルラ通信リンク、衛星通信リンク、光ファイバ通信リンク、および無線周波数通信リンクから成る群から選択される一つ以上の通信リンクと通信する、請求項４に記載のシステム。
【請求項９】 前記第１の電子掲示板は中継器を含み、前記中継器は前記第３の情報ハンドリング・システムからのデータを前記第２の電子掲示板に中継するように構成される、請求項８に記載のシステム。
【請求項１０】 前記第１の電子掲示板および前記第２の電子掲示板はそれぞれ、個々のメモリ装置およびソフトウェアを含み、
前記メモリ装置は情報を記憶するように動作可能であり、
前記ソフトウェアは、前記記憶された情報が、前記第３の情報ハンドリング・システムを介して為された選択に従って表示されるようにするように動作可能である、請求項４に記載のシステム。
【請求項１１】 電子ディスプレイ装置を提供する方法であって、
コンテンツを表示する複数の電子ディスプレイ装置の利用可能性に関する情報を出力すること、
広告主が前記複数の電子ディスプレイ装置から利用可能なターゲットディスプレイ装置を選択できるようにすること、
前記ターゲットディスプレイ装置に表示されるべきコンテンツを受信することであって、前記コンテンツは前記広告主から受信される、コンテンツを受信すること、
前記コンテンツを表示する前記ターゲットディスプレイ装置の指示を受信することであって、前記ターゲットディスプレイ装置の指示は、前記広告主から受信される、ターゲットディスプレイ装置の指示を受信すること、
前記ターゲットディスプレイ装置が前記コンテンツを表示するべき時間の指示を受信することであって、前記時間の指示は前記広告主から受信される、時間の指示を受信すること、および
前記指示された時間に前記コンテンツを表示するために、前記コンテンツを前記指示されたターゲットディスプレイ装置に送信すること、
を含む、方法。
【請求項１２】 前記指示されたターゲットディスプレイ装置は、前記指示されたターゲットディスプレイ装置のそばを通行する受信者に情報を無線で放送するように動作可能であり、
前記方法は、前記指示されたターゲットディスプレイ装置のそばを通行する受信者に情報を無線で放送することをさらに含み、
前記情報は前記指示されたターゲットディスプレイ装置を介して無線で放送される、請求項１１に記載の方法。
【請求項１３】 前記無線で放送される情報は、前記指示されたターゲットディスプレイ装置に表示される前記コンテンツに関する、請求項１２に記載の方法。
【請求項１４】 前記無線で放送される情報は、前記指示されたターゲットディスプレイ装置に関する、請求項１２に記載の方法。
【請求項１５】 前記電子ディスプレイ装置のうちの第１の電子ディスプレイ装置に関連付けられる第１のウェブサイトを提供すること、および
前記電子ディスプレイ装置のうちの第２の電子ディスプレイ装置に関連付けられる第２のウェブサイトを提供すること、
をさらに含む、請求項１１に記載の方法。
【請求項１６】 前記第１のウェブサイトに関連付けられる第１のウェブアドレスを前記第１の電子ディスプレイ装置に表示すること、および
前記第２のウェブサイトに関連付けられる第２のウェブアドレスを前記第２の電子ディスプレイ装置に表示すること、
をさらに含む、請求項１５に記載の方法。
【請求項１７】 前記第１のウェブサイトは、前記第１の電子ディスプレイ装置で広告される製品に関する情報を表示するように構成され、
前記第２のウェブサイトは、前記第２の電子ディスプレイ装置で広告される製品に関する情報を表示するように構成される、
請求項１５に記載の方法。
【請求項１８】 前記コンテンツは、セルラ通信リンク、衛星通信リンク、光ファイバ通信リンク、および無線周波数通信リンクから成る群から選択される一つ以上の通信リンクを介して前記指示されたターゲットディスプレイ装置に送信される、請求項１１に記載の方法。
【請求項１９】 ウェブサイトを提供することであって、前記ウェブサイトを介して前記ターゲットディスプレイ装置の指示が受信される、提供することをさらに含む、請求項１１に記載の方法。
【請求項２０】 一つ以上の前記電子ディスプレイ装置の写真画像を表示することをさらに含む、請求項１１に記載の方法。
【請求項２１】 前記送信されたコンテンツを前記指示されたターゲットディスプレイ装置に記憶することをさらに含む、請求項１１に記載の方法。
【請求項２２】 前記指示されたターゲットディスプレイ装置に、複数の広告を異なる時間に表示することであって、前記複数の広告は前記送信されたコンテンツを含む、表示することをさらに含む、請求項１１に記載の方法。
【請求項２３】 前記複数の広告は異なる持続期間にわたって表示される、請求項２２に記載の方法。
【請求項２４】 前記指示された時間における前記コンテンツの前記表示は、前記広告主によって購入される、請求項１１に記載の方法。
【請求項２５】 前記ターゲットディスプレイ装置の指示と、前記ターゲットディスプレイ装置が前記コンテンツを表示するべき時間の指示とは、異なる時間に受信される、請求項１１に記載の方法。
【請求項２６】 ウェブポータルを提供することであって、前記ウェブポータルは前記ターゲットディスプレイ装置の指示を受信するように動作可能である、提供することをさらに含む、請求項１１に記載の方法。
【請求項２７】 前記ウェブポータルは、前記ターゲットディスプレイ装置が前記コンテンツを表示するべき時間の指示を受信するようにさらに動作可能である、請求項２６に記載の方法。
【請求項２８】 請求項１１に記載の方法を実行するように動作可能である一つ以上のコンピュータプログラムを具現化する、コンピュータ可読媒体。
【請求項２９】 電子ディスプレイにコンテンツをアップロードするデータ処理システムであって、
広告主からコンテンツを受信する回路と、
前記広告主から前記コンテンツを表示するターゲットディスプレイ装置の指示を受信する回路と、
前記ターゲットディスプレイ装置が前記コンテンツを表示するべき時間の指示を前記広告主から受信する回路と、
を含み、
前記ターゲットディスプレイ装置の指示を受信する回路は、
前記ターゲットディスプレイ装置が前記コンテンツを表示するのに利用可能であるか否かに関する情報を、前記広告主に対して出力する回路と、
広告主からの前記ターゲットディスプレイ装置の選択を、その装置が前記コンテンツを表示するのに利用可能である場合に許可する回路と、
前記ターゲットディスプレイ装置の選択を、その装置が前記コンテンツを表示するのに利用可能でない場合に妨げる回路と、
をさらに含む、システム。
【請求項３０】 電子掲示板ネットワークを使用して広告する方法であって、
広告主によってリモート・コンピュータを介してアップロードされた広告データを、中央サーバにおいて受信するステップであって、前記広告データは製品またはサービスに関する広告を含む、広告データを受信するステップと、
前記広告主によって前記リモート・コンピュータを介してアップロードされた追加情報を、前記中央サーバにおいて受信するステップであって、前記追加情報は前記製品またはサービスに関する、追加情報を受信するステップと、
選択された電子掲示板に、前記中央サーバから前記広告データを送信するステップと、
前記追加情報を、前記選択された電子掲示板専用のウエブサイトを介して表示するステップと、
選択された時間に、前記広告データを、前記選択された掲示板に表示するステップと、
を含む、方法。
【請求項３１】 前記選択された電子掲示板を見ている消費者が、前記選択された掲示板専用の前記ウエブサイトで前記広告者に関する追加情報の利用可能性を通知される、請求項３０に記載の方法。